(57)【要約】【課題】  ２つの収納室に固定接点と可動接点ならびに切換え部材が収納されており、それぞれの収納室の密閉度を高めることができる切換え装置を提供する。【解決手段】  ケース１１に収納室を仕切る内壁部１３ａが設けられている。収納室内の可動接点を動作させる切換え部材４０ａは、内壁部１３ａに形成された内側凹部１６ａと蓋体６０ａの内側挟持片６１に形成された第１の切欠き部６１ａとの間に形成された貫通部６５内に位置している。切換え部材４０ａにはフランジ部４５ａが一体に形成され、このフランジ部４５ａで前記貫通部６５が塞がれている。その結果、ゴミや埃や水分が貫通部６５を通じで収納室に入り込みにくくなる。【選択図】図７
2014229530.tif 000002
【特許請求の範囲】
【請求項１】
固定接点と前記固定接点に選択的に接触する可動接点ならびに前記可動接点を動作させる切換え部材とが収納されたケースと、前記ケースを塞ぐ蓋体とが設けられた切換え装置において、
前記ケースに、底部から立ち上がって互いに対向する２つの内壁部と、それぞれの内壁部の外側に対向して前記底部から立ち上がる２つの外壁部と、それぞれの内壁部とそれぞれの外壁部の両端部どうしを連結して前記底部から立ち上がる側壁部とが一体に形成されて、前記内壁部と前記外壁部と前記側壁部ならびに前記底部とで囲まれて上方に開口部を有する２つの収納室と、２つの前記内壁部との間に位置する操作空間とが構成され、それぞれの前記収納室に前記固定接点と前記可動接点とが収納されており、
それぞれの前記収納室には、前記内壁部を貫通して上向きに開放された内側凹部が設けられ、
それぞれの前記切換え部材は、前記外壁部に支持される先部支持部と、前記内側凹部に支持される基部支持部と、前記収納室の内部に位置して前記可動接点を動作させる駆動部と、前記基部支持部と一体に形成されて前記操作空間内で移動する操作部とを有し、
それぞれの前記収納室に、前記駆動部を前記可動接点に押し付けて、前記操作部を初期姿勢へ付勢するばね部材が収納されており、
前記蓋体は２つに分離されて、それぞれの前記蓋体で前記収納室の前記開口部が閉鎖されており、前記蓋体には、前記内壁部の前記操作空間に向く外面に重ねられる挟持片が形成され、この挟持片に形成された切欠き部に前記切換え部材が位置していることを特徴とする切換え装置。
【請求項２】
それぞれの前記切換え部材には、前記基部支持部と前記操作部との間にフランジ部が形成されており、前記内側凹部と前記切欠き部との間に形成される貫通部が前記フランジ部で塞がれている請求項１記載の切換え装置。
【請求項３】
前記内壁部の前記操作空間に向く外面では、前記内側凹部の両側部に壁面窪み部が形成されて、前記フランジ部が、前記壁面窪み部と、この壁面窪み部を覆う前記挟持片との間に位置している請求項２記載の切換え装置。
【請求項４】
前記切換え部材が動作するときに、基部支持部は、前記内側凹部内で、回動し且つ上下に移動する請求項２または３記載の切換え装置。
【請求項５】
前記フランジ部の縁外面に突曲面部が形成されており、前記切換え部材が回動するときに、前記突曲面部が、前記壁面窪み部の縁内面を摺動する請求項３記載の切換え装置。
【請求項６】
前記縁外面に、前記縁内面と当たることでそれぞれの切換え部材の回動角度を規制する回動規制部が設けられている請求項５記載の切換え装置。
【請求項７】
前記ばね部材は、板ばね材料で形成されて、前記収納室内に位置する押圧弾性片と、前記押圧弾性片の両端部から上向きに曲げられて、前記蓋体の内面に当接する支持弾性片とが一体に形成されており、
前記押圧弾性片はその中央部よりも一方の側へ離れた部分が、前記切換え部材の前記駆動部に弾圧され、前記収納室の内部には、前記押圧弾性片の中央部よりも他方の側へ離れた部分に下から対向するばね規制部が設けられている請求項１ないし６のいずれかに記載の切換え装置。
【発明の詳細な説明】
【技術分野】
【０００１】
本発明は、車載用電装設備などに使用される２連式の切換え装置に係り、特に防塵性を高めた構造の切換え装置に関する。
【背景技術】
【０００２】
車載用パワーウインドウ装置の駆動スイッチやその他の車載用電装設備のスイッチ部に２連式の切換え装置が使用されている。
【０００３】
特許文献１に記載されている切換え装置は、ケースに２つの接点収納空間が形成されている。それぞれの接点収納空間には、底部に固定された固定接点部材と、可動接点となる導体板と、駆動体の摺動作動部と、前記摺動作動部を可動接点に押し付ける板ばね部材とが収納されている。
【０００４】
ケースでは、それぞれの接点収納空間の内側の仕切り壁の間にスリットが形成され、仕切り壁には、接点収納空間と前記スリットとを連通させる凹部が形成されている。それぞれの駆動体には、前記摺動作動部とともに被押圧部が形成されている。駆動体の一部が前記凹部の内部に位置し、被押圧部が前記スリット内に位置している。
【０００５】
特許文献１では、板ばね材料で形成されたカバー部材がケースの上に装着され、２つの接点収納空間と、隣り合う接点収納空間の間に形成されたスリットとが、１つのカバー部材で覆われている。前記スリットには、２つの駆動体のそれぞれに形成された前記被押圧部が位置しており、２つの被押圧部が、前記カバー部材に形成された窓孔から上方へ突出している。
【０００６】
特許文献１に記載された切換え装置を使用する電装設備では、操作つまみの作用端部がカバー部材の上方に突出している２つの被押圧部の間に介在している。操作つまみが一方の側へ倒されると、一方の駆動体が回動させられて、一方の接点収納空間内の固定接点部と導体板との接触が切換えられ、操作つまみが他方の側へ倒されると、他方の駆動体が回動させられて、他方の接点収納空間内の固定接点部と導体板との接触が切換えられる。
【先行技術文献】
【特許文献】
【０００７】
【特許文献１】特開２００５−１２３１３５号公報
【発明の概要】
【発明が解決しようとする課題】
【０００８】
特許文献１に記載された切換え装置では、ケースに形成されたそれぞれの接点収納空間とスリットとが凹部を介して連通している。凹部には駆動体が回動自在で且つ上下に移動自在に支持されているため、凹部の内縁部と駆動体との間に大きな隙間が形成されており、それぞれの接点収納部の密閉が十分ではない。
【０００９】
また、特許文献１に記載されたものは、１つの板ばね部材が、２つの接点収納空間とスリットとにまたがって設けられている。そのため、仕切り壁に板ばね部材を通過させる切欠き部を形成することが必要であり、これによっても接点収納空間の密閉性が十分ではない。
【００１０】
さらに、スリットの上方では、カバー部材に窓孔が形成され、駆動体の被押圧部が窓孔から上方へ突出しているが、駆動体が回動するために、窓孔と被押圧部との間に大きな隙間を形成することが必要となっている。
【００１１】
その結果、車室内のゴミや埃さらには水分が、カバー部材の窓孔からスリット内に入りやすく、さらに凹部を介してスリット内から接点収納部の内部にゴミなどが入り込みやすくなっており、接点の切換えの信頼性を低下させる課題があった。
【００１２】
本発明は、上記従来の課題を解決するものであり、２つの収納空間内の密閉性を高めて、収納空間の内部での接点の切換え動作の信頼性を高めることができる切換え装置を提供することを目的としている。
【課題を解決するための手段】
【００１３】
本発明は、固定接点と前記固定接点に選択的に接触する可動接点ならびに前記可動接点を動作させる切換え部材とが収納されたケースと、前記ケースを塞ぐ蓋体とが設けられた切換え装置において、
前記ケースに、底部から立ち上がって互いに対向する２つの内壁部と、それぞれの内壁部の外側に対向して前記底部から立ち上がる２つの外壁部と、それぞれの内壁部とそれぞれの外壁部の両端部どうしを連結して前記底部から立ち上がる側壁部とが一体に形成されて、前記内壁部と前記外壁部と前記側壁部ならびに前記底部とで囲まれて上方に開口部を有する２つの収納室と、２つの前記内壁部との間に位置する操作空間とが構成され、それぞれの前記収納室に前記固定接点と前記可動接点とが収納されており、
それぞれの前記収納室には、前記内壁部を貫通して上向きに開放された内側凹部が設けられ、
それぞれの前記切換え部材は、前記外壁部に支持される先部支持部と、前記内側凹部に支持される基部支持部と、前記収納室の内部に位置して前記可動接点を動作させる駆動部と、前記基部支持部と一体に形成されて前記操作空間内で移動する操作部とを有し、
それぞれの前記収納室に、前記駆動部を前記可動接点に押し付けて、前記操作部を初期姿勢へ付勢するばね部材が収納されており、
前記蓋体は２つに分離されて、それぞれの前記蓋体で前記収納室の前記開口部が閉鎖されており、前記蓋体には、前記内壁部の前記操作空間に向く外面に重ねられる挟持片が形成され、この挟持片に形成された切欠き部に前記切換え部材が位置していることを特徴とするものである。
【００１４】
本発明の切換え装置は、ケースに２つの収納室が形成され、それぞれの収納室の上部の開口部が個別の蓋体で覆われている。蓋体には挟持片が一体に形成され、この挟持片と内壁部とが重ねられ、内壁部に形成された内側凹部と挟持片に形成された切欠き部との間で、切換え部材を動作させるのに必要な最少限の貫通部が形成されている。そのため、収納室の密閉度を高めることが可能である。
【００１５】
本発明は、それぞれの前記切換え部材には、前記基部支持部と前記操作部との間にフランジ部が形成されており、前記内側凹部と前記切欠き部との間に形成される貫通部が前記フランジ部で塞がれている。
【００１６】
切換え部材に貫通部を塞ぐフランジ部が形成されているため、収納室と操作空間との間の遮蔽度を高めることができ、収納室へのゴミや埃などの侵入をさらに防ぎやすくなる。
【００１７】
さらに、本発明は、前記内壁部の前記操作空間に向く外面では、前記内側凹部の両側部に壁面窪み部が形成されて、前記フランジ部が、前記壁面窪み部と、この壁面窪み部を覆う前記挟持片との間に位置していることが好ましい。
【００１８】
上記構造では、内壁部に形成された内側凹部の外側に、フランジ部と挟持片が重ねられ、操作空間から収納室へ３重の迷路が形成されることになるため、さらに操作空間から収納室にゴミや埃などが侵入しにくくなる。
【００１９】
本発明は、前記切換え部材が動作するときに、基部支持部は、前記内側凹部内で、回動し且つ上下に移動するものとして構成できる。
【００２０】
基部支持部が内側凹部内を回動し且つ上下に移動するものでは、基部支持部と内側凹部との間の隙間を大きく形成することが必要であるが、前記フランジ部を設けることによりこの隙間を効果的に塞ぐことが可能になる。
【００２１】
本発明は、前記フランジ部の縁外面に突曲面部が形成されており、前記切換え部材が回動するときに、前記突曲面部が、前記壁面窪み部の縁内面を摺動する。
上記構成では、フランジ部を壁面窪み部内で円滑に回動させることが可能である。
【００２２】
さらに、本発明は、前記縁外面に、前記縁内面と当たることでそれぞれの切換え部材の回動角度を規制する回動規制部が設けられているものとして構成できる。上記回動規制部を設けることで、切換え部材の回動角度を規制することが可能である。
【００２３】
本発明は、前記ばね部材は、板ばね材料で形成されて、前記収納室内に位置する押圧弾性片と、前記押圧弾性片の両端部から上向きに曲げられて、前記蓋体の内面に当接する支持弾性片とが一体に形成されており、
前記押圧弾性片はその中央部よりも一方の側へ離れた部分が、前記切換え部材の前記駆動部に弾圧され、前記収納室の内部には、前記押圧弾性片の中央部よりも他方の側へ離れた部分に下から対向するばね規制部が設けられているものである。
【００２４】
本発明のばね部材は、それぞれの収納室内に収納され、ばね部材が内壁部を貫通していない構造であるため、さらに、収納室の密閉性を高めることができる。しかも、収納室の内部にばね規制部を設けることで、収納室の内部に収納されたばね部材で切換え部材の駆動部を可動接点に対して安定して弾圧させることができる。
【発明の効果】
【００２５】
本発明の切換え装置は、ケースに形成された２つの収納室の密閉度を高めることができ、接点の接触部にゴミや埃または水分が侵入しにくくなる。
【図面の簡単な説明】
【００２６】
【図１】本発明の実施の形態の切換え装置と操作部材とが組み合わされた構造を示す正面図、
【図２】本発明の実施の形態の切換え装置の斜視図、
【図３】図２に示す切換え装置の分解斜視図、
【図４】図２の切換え装置をＩＶ−ＩＶ線で切断した断面図、
【図５】図２の切換え装置をＶ−Ｖ線で切断した断面図、
【図６】図５と同じ断面図での動作説明図、
【図７】図２の切換え装置をＶＩＩ−ＶＩＩ線で切断した断面図、
【図８】図７と同じ断面図での動作説明図、
【図９】図７と同じ断面図での貫通部の構成を示す断面説明図、
【発明を実施するための形態】
【００２７】
図１に、本発明の実施の形態の切換え装置１０と操作部材１とが組み合わされた構造が示されている。操作部材１は、車載用パワーウインドウ装置の開閉操作のためのものである。また切換え装置１０は、車載用パワーウインドウ装置以外の各種電装設備の検知スイッチや切換えスイッチとしても使用することが可能である。
【００２８】
図２以下に示す切換え装置１０は、Ｘ方向が前後方向、Ｙ方向が左右方向、Ｚ方向が上下方向である。
【００２９】
切換え装置１０はケース１１を有している。ケース１１は絶縁性の合成樹脂材料で射出成形されている。
【００３０】
図４と図５に示すように、ケース１１は底部１２を有している。図３に示すように、ケース１１には、底部１２から垂直に立ち上がる第１の内壁部１３ａならびに第２の内壁部１３ｂと、第１の外壁部１４ａならびに第２の外壁部１４ｂ、さらに側壁部１５ａと側壁部１５ｂが一体に形成されている。
【００３１】
第１の内壁部１３ａと第２の内壁部１３ｂは前後方向（Ｘ方向）に対向し、第１の外壁部１４ａは第１の内壁部１３ａの前後方向の外側に対向し、第２の外壁部１４ｂは第２の内壁部１３ｂの前後方向の外側に対向している。側壁部１５ａ，１５ｂは、前記内壁部ならびに外壁部と直交する向きに形成され、左右方向（Ｙ方向）に間隔を空けて対向している。
【００３２】
ケース１１には、第１の内壁部１３ａと第１の外壁部１４ａならびに側壁部１５ａ，１５ａとで囲まれて下部が底部１２で塞がれた第１の収納室Ｓ１が形成されている。また、第２の内壁部１３ｂと第２の外壁部１４ｂならびに側壁部１５ａ，１５ａとで囲まれて下部が底部１２で塞がれた第２の収納室Ｓ２が形成されている。第１の収納室Ｓ１と第２の収納室Ｓ２は、共に上方が解放された開口部となっている。
【００３３】
ケース１１には、第１の内壁部１３ａと第２の内壁部１３ｂとの間に操作空間Ｓ３が形成されている。操作空間Ｓ３は、左右方向（Ｙ方向）へ細長い空間である。図２と図３に示す実施の形態では、操作空間Ｓ３の左右方向の両側部が側壁部１５ａ，１５ｂで塞がれているが、操作空間Ｓ３が側壁部１５ａ，１５ｂで塞がれておらず、左右方向（Ｙ方向）に解放されていてもよい。
【００３４】
図２と図３に、底部１２の中心から垂直に上下方向（Ｚ方向）に延びるケース中心線Ｏ０が示されている。ケース１１は、ケース中心線Ｏ０を中心として１８０度回転させた形状と一致する。すなわち、第１の収納室Ｓ１と第２の収納室Ｓ２の構造と寸法、ならびに操作空間Ｓ３の構造と寸法は、ケース中心線Ｏ０に対して１８０度の回転対称である。
【００３５】
図３に示すように、第１の内壁部１３ａに第１の内側凹部１６ａが形成され、第１の外壁部１４ａに第１の外側凹部１７ａが形成されている。第２の内壁部１３ｂに第２の内側凹部１６ｂが形成され、第２の外壁部１４ｂに第２の外側凹部１７ｂが形成されている。第１の外側凹部１７ａは、第１の外側支持部として機能し、第２の外側凹部１７ｂは第２の外側支持部として機能する。
【００３６】
第１の内側凹部１６ａは第１の内壁部１３ａを前後方向（Ｘ方向）に貫通し、第２の内側凹部１６ｂは第２の内壁部１３ｂを前後方向（Ｘ方向）に貫通し、第１の内側凹部１６ａと第２の内側凹部１６ｂは上方に解放されている。第１の外側凹部１７ａと第２の外側凹部１７ｂは上方に解放されている。図３では、第１の外側凹部１７ａが第１の外壁部１４ａを前後方向（Ｘ方向）に貫通しているが、第１の外側凹部１７ａが、第１の外壁部１４ａを貫通することなく、第１の収納室Ｓ１に面する内面に段差を有して上下方向に延びる溝形状であってもよい。これは第２の外側凹部１７ｂにおいても同じである。
【００３７】
図３に示すように、第１の内側凹部１６ａの幅方向の中心と第１の外側凹部１７ａの幅方向の中心を結ぶ線が第１の支持基準線Ｏ１であり、第２の内側凹部１６ｂの幅方向の中心と第２の外側凹部１７ｂの幅方向の中心とを結ぶ線が第２の支持基準線Ｏ２である。第１の支持基準線Ｏ１は、ケース中心線Ｏ０よりも側壁部１５ｂに近い位置にあり、第２の支持基準線Ｏ２は、ケース中心線Ｏ０よりも側壁部１５ａに近い位置にある。
【００３８】
図３に示すように、第２の内壁部１３ｂの操作空間Ｓ３に向く外面に、第１の補助凹部１８ａが形成されている。第１の補助凹部１８ａは、第２の内壁部１３ｂを前後方向（Ｘ方向）へ貫通することなく形成された溝形状で、上方に解放されている。第１の補助凹部１８ａの幅方向の中心は、第１の支持基準線Ｏ１上に位置している。第１の内壁部１３ａの操作空間Ｓ３に向く外面に、第２の補助凹部１８ｂが上方に解放された溝形状として形成されている。第２の補助凹部１８ｂの幅方向の中心は、第２の支持基準線Ｏ２上に位置している。
【００３９】
図９は、図２に示すＶＩＩ−ＶＩＩ線の断面に現れるケース１１を示している。図９には、ケース１１の底部１２と側壁部１５ａ，１５ｂの断面が現れ、第１の内壁部１３ａの操作空間Ｓ３に向く外面が現れている。
【００４０】
図９に示すように、第１の内壁部１３ａでは、第１の内側凹部１６ａの幅方向の両側ならびに下側に第１の壁面窪み部１９ａが形成されている。図３に示すように、第１の壁面窪み部１９ａは、操作空間Ｓ３に向く外面から第１の内壁部の厚さ方向の中間に向かって窪むように形成されている。図３に示すように、第２の内壁部１３ｂの操作空間Ｓ３に向く外面にも、第２の内側凹部１６ｂの幅方向の両側ならびに下部にかけて第２の壁面窪み部１９ｂが形成されている。
【００４１】
図９に示すように、第１の壁面窪み部１９ａには、直近の側壁部１５ｂと平行に延びる垂直縁内面２１ａと、前記垂直縁内面２１ａと平行に延びる垂直縁内面２２ａと、垂直縁内面２２ａの下側に連続して前記垂直縁内面２２ａに対して傾斜する傾斜縁内面２３ａとが形成されている。
【００４２】
図５は図２のＶ−Ｖ線の断面図であり、第１の収納室Ｓ１の内部構造が示されている。図５には、第１の外壁部１４ａの第１の収納室Ｓ１に向く内面が現れている。第１の外壁部１４ａの内面には、側壁部１５ａに近い部分で上下に延びる隆起部２４ａが形成され、その上端面が凹曲面形状のばね規制部２５ａとなっている。図３にも示すように、第１の外壁部１４ａの内面には、側壁部１５ｂに近い部分で上下に延びる隆起部２６ａが形成され、その上端面がばね規制部２７ａとなっている。隆起部２４ａならびにばね規制部２５ａと隆起部２６ａならびにばね規制部２７ａは、第１の内壁部１３ａの第１の収納室Ｓ１に向く内面にも面対称となるように形成されている。
【００４３】
第２の収納室Ｓ２の内部構造と第１の収納室Ｓ１の内部構造とは、ケース中心線Ｏ０に対して回転対称形状である。したがって、第２の内壁部１３ｂの内面と第２の外壁部１４ｂの内面にも、隆起部２４ｂとばね規制部２５ｂならびに隆起部２６ｂとばね規制部２７ｂが形成されている。隆起部２４ｂとばね規制部２５ｂは、図３に現れているが、隆起部２６ｂとばね規制部２７ｂは図に現れていない。
【００４４】
図５に示すように、第１の収納室Ｓ１では、底部１２に３個の固定接点が固定されて設けられている。左右方向（Ｙ方向）の中央にコモン固定接点３１ａが固定され、側壁部１５ｂに近い側に初期接触固定接点３２ａが固定され、側壁部１５ａに近い側に切換え固定接点３３ａが固定されている。
【００４５】
第２の収納室Ｓ２と第１の収納室Ｓ１はケース中心線Ｏ０を中心とする回転対称形状（回転対称構造）である。よって、図２と図３に示すように、第２の収納部Ｓ２では、中央にコモン固定接点３１ｂが、側壁部１５ａに近い側に初期接触固定接点３２ｂが固定され、側壁部１５ｂに近い側に切換え固定接点３２ｃが固定されている。
【００４６】
図５に示すように、第１の収納室Ｓ１に可動接点３５が収納されている。可動接点３５は銅板などの導電性板材で形成されている。第１の収納室Ｓ１に収納されている可動接点３５は、初期接触固定接点３２ａに対向する初期接触片３５ａと、切換え固定接点３３ａに対向する切換え接触片３５ｂを有し、その中間に乗り上げ部３５ｃが上向きに突出して形成されている。乗り上げ部３５ｃは、コモン固定接点３１ａよりも切換え固定接点３３ａに近い側に形成されている。
【００４７】
第２の収納室Ｓ２にも第１の収納室Ｓ１と同じ可動接点３５が収納されている。第２の収納室Ｓ２に収納された可動接点３５は、第１の収納室Ｓ１に収納された可動接点３５と左右方向（Ｙ方向）の向きが逆に配置されている。第２の収納室Ｓ２に収納された可動接点３５は、初期接触片３５ａが側壁部１５ａに向けられ、切換え接触片３５ｂが側壁部１５ｂに向けられている。
【００４８】
図３に示すように、ケース１１の第１の収納室Ｓ１に第１の切換え部材４０ａが収納され、第２の収納室Ｓ２に第２の切換え部材４０ｂが収納される。第１の切換え部材４０ａと第２の切換え部材４０ｂは合成樹脂材料で形成されて、同じ構造で同じ寸法を有しているが、ケース１１への組み込み姿勢が、ケース中心線Ｏ０に対して１８０度の回転対称である。そこで、以下では、第１の切換え部材４０ａと第２の切換え部材４０ｂについて、異なる符号を付して説明する。
【００４９】
図３と図４に示すように、第１の切換え部材４０ａは、前後方向（Ｘ方向）の一方に向けられる先部支持部４１ａと、逆に向けられる補助支持部４３ａと、中間に位置する基部支持部４２ａを有している。先部支持部４１ａと補助支持部４３ａは断面が円形の短軸形状である。先部支持部４１ａと基部支持部４２ａとの間に駆動部４４ａが下向きに形成されている。
【００５０】
第１の切換え部材４０ａには、基部支持部４２ａと補助支持部４３ａとの間にフランジ部４５ａと操作部５１ａが一体に形成されている。図７は、図２のＶＩＩ−ＶＩＩ線の断面図であり、ここにはフランジ部４５ａの断面形状が示されている。
【００５１】
フランジ部４５ａの縁外面には、突曲面部４６ａと突曲面部４７ａが設けられている。図７には、先部支持部４１ａと補助支持部４３ａの軸中心を結ぶ回動中心線Ｏａが示されている。一方の突曲面部４６ａは、回動中心線Ｏａを中心とする半径Ｒ１の軌跡に沿って形成され、他方の突曲面部４７ａは、回転中心線Ｏａを中心とする半径Ｒ２の規制に沿って形成されている。半径Ｒ１は半径Ｒ２よりも大きくなっている。
【００５２】
また、フランジ部４５ａの縁外面では、突曲面部４６ａの下方の角部に回動規制部４８ａが形成され、突曲面部４７ａの下方の角部に回動規制部４９ａが形成されている。
第１の切換え部材４０ａの操作部５１ａは、上方へ突出している。
【００５３】
同様に、第２の切換え部材４０ｂは、先部支持部４１ｂ、基部支持部４２ｂ、補助支持部４３ｂ、駆動部４４ｂ、フランジ部４５ｂならびに操作部５１ｂを有している。フランジ部４５ｂには、突曲面部４６ｂ，４７ｂと回動規制部４８ｂ，４９ｂが設けられている。なお、図３には、補助支持部４３ｂと回動規制部４９ｂが現れていない。
【００５４】
図３に示すように、第１の収納室Ｓ１と第２の収納室Ｓ２に、同じ構造で同じ寸法のばね部材５５が上方から装着される。それぞれのばね部材５５は板ばね材料で形成されたものであり、押圧弾性片５６と、押圧弾性片５６の左右方向の端部から上向きに曲げられた支持弾性片５７，５７とが一体に形成されている。
【００５５】
図３と図４などに示すように、第１の蓋体６０ａで、第１の収納室Ｓ１の上方の開口部が塞がれ、第２の蓋体６０ｂで、第２の収納室Ｓ２の上方の開口部が塞がれる。第１の蓋体６０ａと第２の蓋体６０ｂは、同じ構造で同じ寸法のものであるが、ケース中心線Ｏ０を中心とする回転対称の向きで使用されている。
【００５６】
図３に示すように、第１の蓋体６０ａと第２の蓋体６０ｂは、板ばね材料を折り曲げて形成されている。それぞれの蓋体６０ａ，６０ｂには、内側挟持片６１と外側挟持片６２が下向きのほぼ直角に折り曲げられている。内側挟持片６１と外側挟持片６２は、前後方向（Ｘ方向）に間隔を空けて対向している。内側挟持片６１には、下向きに解放された第１の切欠き部６１ａと第２の切欠き部６１ｂが並んで形成されている。
【００５７】
それぞれの蓋体６０ａ，６０ｂには、左右方向（Ｙ方向）で対向する側部挟持片６３，６３が折り曲げられている。側部挟持片６３，６３のそれぞれには掛止穴６３ａ，６３ａが開口している。
【００５８】
図３に示すように、ケース１１の側壁部１５ａ，１５ｂの外面に、前記掛止穴６３ａ，６３ａに対向する掛止突起１５ｃ，１５ｃが一体に形成されている。
【００５９】
上記各部材から構成される切換え装置１０は、以下のように組み立てられる。
第１の収納室Ｓ１と第２の収納室Ｓ２に可動接点３５，３５が挿入された後に、第１の切換え部材４０ａと第２の切換え部材４０ｂが、ケース１１に対して上方から下向きに装着される。図４には、ケース１１に第１の切換え部材４０ａが装着された状態が示されている。
【００６０】
第１の切換え部材４０ａの先部支持部４１ａは、第１の外壁部１４ａに形成された第１の外側凹部１７ａに上方から挿入され、基部支持部４２ａが第１の内壁部１３ａに形成された第１の内側凹部１６ａに上方から挿入され、補助支持部４３ａが、第２の内壁部１３ｂに形成された第１の補助凹部１８ａに上方から挿入される。フランジ部４５ａは、第１の内壁部１３ａに形成された第１の壁面窪み部１９ａの内部に挿入される。
【００６１】
駆動部４４ａは、第１の収納室Ｓ１の内部に挿入され、操作部５１ａは、ケース１１の操作空間Ｓ３の内部に位置する。
【００６２】
同様にして、第２の切換え部材４０ｂが、先部支持部４１ｂが第２の外側凹部１７ｂに上方から挿入され、補助支持部４３ｂ（図には現れていない）が第２の補助凹部１８ｂに上方から挿入され、基部支持部４２ｂが第２の内側凹部１６ｂに上方から挿入される。フランジ部４５ｂは第２の壁面窪み部１９ｂに上方から挿入される。駆動部４４ｂは第２の収納室Ｓ２の内部に収納され、操作部５１ｂは操作空間Ｓ３の内部に配置される。
【００６３】
ケース１１の第１の収納室Ｓ１と第２の収納室Ｓ２のそれぞれに、可動接点３５と第１の切換え部材４０ａならびに第２の切換え部材４０ｂが装着された後に、第１の収納室Ｓ１と第２の収納室Ｓ２にばね部材５５，５５が挿入される。
【００６４】
そして、第１の収納室Ｓ１の上方の開口部に第１の蓋体６０ａが装着され、第２の収納室Ｓ２の上方の開口部に第２の蓋体６０ｂが装着される。
【００６５】
図４に示すように、第１の蓋体６０ａの内側挟持片６１は、ケース１１の第１の内壁部１３ａの操作空間Ｓ３に面する外面に弾圧され、外側挟持片６２は第１の外壁部１４ａの外面に弾圧される。図５示すように、側部挟持片６３，６３が側壁部１５ａ，１５ｂの外面に装着され、側部挟持片６３，６３のそれぞれに形成された掛止穴６３ａ，６３ａが、側壁部１５ａ，１５ｂのそれぞれに形成された掛止突起１５ｃ，１５ｃに掛止されて、第１の蓋体６０ａが固定される。
【００６６】
同様に、第２の蓋体６０ｂの内側挟持片６１が、第２の内壁部１３ｂの外面に、外側挟持片６２が第２の外壁部１４ｂの外面に弾圧される。また、側部挟持片６３，６３が側壁部１５ａ，１５ｂの外面に弾圧され、掛止穴６３ａ，６３ａが掛止突起１５ｃ，１５ｃに掛止される。
【００６７】
第１の蓋体６０ａの外側挟持片６２によって第１の外壁部１４ａに形成された第１の外側凹部１７ａが塞がれる。同様に、ケースの第２の外壁部１４ｂに形成された第２の外側凹部１７ｂも、第２の蓋体６０ｂの外側挟持片６２で塞がれる。
【００６８】
図５に示すように、第１の収納室Ｓ１の開口部に第１の蓋体６０ａが装着されると、第１の蓋体６０ａの内面によって、ばね部材５５の一対の支持弾性片５７，５７が下向きに押されて変形させられ、ばね部材５５の押圧弾性片５６によって、第１の切換え部材４０ａが下向きに付勢され、駆動部４４ａが可動接点３５に加圧される。
【００６９】
図５に示すように、操作部５１ａに操作力が与えられていない初期状態では、第１の収納室Ｓ１の内部において、第１の切換え部材４０ａの駆動部４４ａの下端部が、可動接点３５の乗り上げ部３５ｃよりも図示右側に位置している。駆動部４４ａと可動接点３５との接触点Ｐ１は、ケース中心線Ｏ０よりも図示右側に位置している。
【００７０】
図５に示すように、ばね部材５５の図示左側では、ケース１１に形成されたばね規制部２５ａが下側から対向し、ばね部材５５の図示右側でも、ばね規制部２７ａが下側から対向している。ばね部材５５は、第１の収納室Ｓ１の内部に自由状態で収納されているが、両側にばね規制部２５ａ，２７ａが対向しているので、ばね部材５５の姿勢が極端に倒れることがない。
【００７１】
図５に示すように、駆動部４４ａと可動接点３５との接触点Ｐ１が、ケース中心線Ｏ０よりも図示右側に偏って位置しているが、ケース中心線Ｏ０よりも図示左側では、下側からばね規制部２５ａが対向しているので、ばね部材５５が第１の収納室Ｓ１内で反時計方向へ倒れることがなく、駆動部４４ａに対して常に下向きの付勢力を安定して与えることができる。
【００７２】
第２の収納室Ｓ２内においては、駆動部４４ｂと可動接点３５との接触点Ｐ１が、ケース中心線Ｏ０よりも図示左側で側壁部１５ａに近い側に偏っており、側壁部１５ｂの側で、ばね部材５５の下側にばね規制部２５ｂが対向している。
【００７３】
図９は、ケース１１に第１の蓋体６０ａが装着された状態を示す図２のＶＩＩ−ＶＩＩ線の断面図であり、ケース１１の第１の内壁部１３ａと、第１の蓋体６０ａの内側挟持片６１との組み合わせ構造が、操作空間Ｓ３側から示されている。
【００７４】
図９に示すように、ケース１１の第１の内壁部１３ａの操作空間Ｓ３に向く外面に、第１の蓋体６０ａの内側挟持片６１が装着されると、第１の内壁部１３ａに形成された第１の内側凹部１６ａと、内側挟持片６１に形成された第１の切欠き部６１ａとで囲まれた貫通部６５が形成される。図４に示すように、第１の切換え部材４０ａがケース１１に装着されると、基部支持部４２ａが、貫通部６５の内部に位置する。
【００７５】
貫通部６５は、第１の内側凹部１６ａと第１の切欠き部６１ａとで囲まれた限られた開口面積を有して開口しているので、貫通部６５と基部支持部４２ａとの間の隙間を最少限にでき、操作空間Ｓ３から第１の収納室Ｓ１にゴミや埃などが入る確率を減少させることができる。
【００７６】
図９に示すように、内側挟持片６１の第２の切欠き部６１ｂは、第１の内壁部１３ａに形成された第２の補助凹部１８ｂに対向しており、第２の切換え部材４０ｂの補助支持部４３ｂ（図には現れていない）が、第２の補助凹部１８ｂと第２の切欠き部６１ｂとで囲まれた空間内を動く。
【００７７】
第２の内壁部１３ｂに形成された第２の内側凹部１６ｂならびに第１の補助凹部１８ａと、第２の蓋体６０ｂの内側挟持片６１に形成された第１の切欠き部６１ａならびに第２の切欠き部６１ｂとの関係も上記と同じである。
【００７８】
図７と図８に示すように、第１の切換え部材４０ａがケース１１に装着されると、第１の切換え部材４０ａのフランジ部４５ａが、第１の内壁部１３ａに形成された第１の壁面窪み部１９ａに挿入される。さらに、第１の蓋体６０ａが装着されると、図４に示すように、内側挟持片６１が、第１の切換え部材４０ａのフランジ部４５ａに対して操作空間Ｓ３側から重ねられる。フランジ部４５ａは、第１の壁面窪み部１９ａの内壁と内側挟持片６１との間に挟まれる。
【００７９】
フランジ部４５ａが、貫通部６５の開口面積よりも大きい面積を有しているため、図７と図８に示すように、第１の内側凹部１６ａと基部支持部４２ａとの隙間がフランジ部４５ａで塞がれ、第１の収納室Ｓ１と操作空間Ｓ３とが直接に連通するのを防止できる。さらに、図４に示すように、操作空間Ｓ３と第１の収納室Ｓ１との間では、内側挟持片６１とフランジ部４５ａならびに第１の内壁部１３ａが３重に重ねられた状態であるため、操作空間Ｓ３から第１の収納室Ｓ１へのゴミや埃または水分を侵入を効果的に阻止することができる。
【００８０】
図７と図８に示すように、フランジ部４５ａが第１の壁面窪み部１９ａの内部に位置すると、フランジ部４５ａの縁外面の突曲面部４６ａと回動規制部４８ａが、第１の壁面窪み部１９ａの垂直縁内面２１ａに対向する。また、突曲面部４７ａが垂直縁内面２２ａに対向し、回動規制部４９ａが傾斜縁内面２３ａに対向する。
【００８１】
第２の切換え部材４０ｂも同様にしてケース１１に装着される。第２の切換え部材４０ｂのフランジ部４５ｂと、第２の内壁部１３ｂならびに第２の蓋体６０ｂの内側支持片６１との位置関係は、図７，８，９と対称である。
【００８２】
第１の切換え部材４０ａと第２の切換え部材４０ｂがケース１１に装着されると、第１の切換え部材４０ａの操作部５１ａと第２の切換え部材４０ｂの操作部５１ｂとが、共に操作空間Ｓ３の内部に位置する。図２に示すように、第１の切換え部材４０ａの操作部５１ａと第２の切換え部材４０ｂの操作部５１ｂは、操作空間Ｓ３の内部で左右方向（Ｙ方向）に並んで位置する。
【００８３】
図１に示すように、車載用パワーウインドウ装置などの電装設備では、切換え装置１０のケース１１が基台２上に固定され、コモン固定接点３１ａ，３１ｂと初期接触固定接点３２ａ，３２ｂならびに切換え固定接点３３ａ，３３ｂが、基台２上の回路パターンにハンダ付けされて接続される。
【００８４】
操作部材１は支持軸３に回動自在に支持されている。操作部材１の下端部に切換え押圧部４が一体に形成されており、切換え押圧部４が、第１の切換え部材４０ａの操作部５１ａと第２の切換え部材４０ｂの操作部５１ｂとの間に介入している。
【００８５】
操作部材１が図１において実線で示す中立姿勢のとき、図５に示すように、ケース１１の第１の収納室Ｓ１では、第１の切換え部材４０ａが初期姿勢であり、駆動部４４ａと可動接点３５との接触点Ｐ１が、可動接点３５の乗り上げ部３５ｃよりも図示右側に位置し、可動接点３５の初期接触片３５ａが第１の初期接触固定接点３２ａと接触している。第２の収納室Ｓ２では、初期姿勢の第２の切換え部材４０ｂの駆動部４４ｂと可動接点３５との接触点が、可動接点３５の乗り上げ部３５ｃよりも側壁部１５ａに近い側に位置し、可動接点３５の初期接触片３５ａが第２の初期接触固定接点３２ｂに接触している。
【００８６】
第１の切換え部材４０ａが初期姿勢のとき、図７に示すように、第１の切換え部材４０ａのフランジ部４５ａは、第１の内壁部１３ａに形成された平面窪み部１９ａ内で中立位置である。第１の切換え部材４０ａが図７に示す初期姿勢からさらに反時計方向へ回動しようとすると、フランジ部４５ａの回動規制部４８ａが、壁面窪み部１９ａの垂直縁内面２１ａに当たるため、第１の切換え部材４０ａが初期姿勢から反時計方向へ不用意に回動するのが規制される。これは、第２の切換え部材４０ｂが初期姿勢にあるときも同じである。
【００８７】
操作部材１が図１においてα１方向へ倒されると、操作部５１ａが図１において破線で示すようにα２方向へ押され、第１の切換え部材４０ａが時計方向（α２方向）へ回動させられる。図６に示すように、駆動部４４ａが可動接点３５の乗り上げ部３５ｃに乗り上がり、可動接点３５が第１のコモン固定接点３１ａを支点とし反時計方向へ回動し、可動接点３５の切換え接触片３５ｂが第１の切換え固定接点３３ａに接触させられる。
【００８８】
このとき、駆動部４４ａがα２方向へ回動しながら乗り上げ部３５ｃに乗り上がるために、第１の切換え部材４０ａは時計方向へ回動しながら、全体がやや持ち上げられる。その結果、ばね部材５５の押圧弾性片５６が撓み、押圧弾性片５６から駆動部４４ａに復帰力が与えられる。操作部材１への操作力が解除されると、ばね部材５５の弾性力で、図５に示すように駆動部４４ａが復帰し、第１の切換え部材４０ａが初期姿勢に復帰する。
【００８９】
図１において、操作部材１が時計方向（β１方向）へ倒されると、操作部５１ｂが押されて、第２の切換え部材４０ｂがβ２方向へ回動させられる。第２の収納室Ｓ２内では、可動接点３５の切換え接触片３５ｂが、第２の切換え固定接点３３ｂに接触させられる。
【００９０】
図６に示すように、第１の切換え部材４０ａがα２方向へ回動すると、図８に示すように、フランジ部４５ａは第１の壁面窪み部１９ａの内部でα２方向へ回動する。フランジ部４５ａの突曲面部４６ａが第１の壁面窪み部１９ａの垂直縁内面２１ａを摺動し、突曲面部４７ａが垂直縁内面２２ａを摺動することで、フランジ部４５ａが第１の平面窪み部１９ａの内部で大きな抵抗を受けることなく回動することができる。
【００９１】
フランジ部４５ａがα２方向へ回動すると、フランジ部４５ａの回動規制部４９ａが傾斜縁内面２３ａに当たる。これにより、第１の切換え部材４０ａのα２方向へのそれ以上の回動が規制される。フランジ部４５ａに回動規制部４８ａ，４９ａを設けることにより、第１の切換え部材４０ａの回動角度を規制でき、過剰な角度の回動を防止できるようになる。
【００９２】
図５と図６ならびに図７と図８に示すように、第１の切換え部材４０ａは回動しながら上下に移動するため、図９に示す貫通部６５と第１の切換え部材４０ａの基部支持部４２ａとの間には、上下の移動のための隙間が必要である。ただし、フランジ部４５ａによってその隙間を塞ぐことができるので、第１の収納室Ｓ１と操作空間Ｓ３との間を閉鎖でき、第１の収納室Ｓ１にゴミや埃あるいは水分などが入り込みにくい。
これは、第２の収納室Ｓ２においても同じである。
【符号の説明】
【００９３】
Ｓ１  第１の収納室
Ｓ２  第２の収納室
Ｓ３  操作空間
１  操作部材
４  切換え押圧部
１０  切換え装置
１１  ケース
１２  底部
１３ａ  第１の内壁部
１３ｂ  第２の内壁部
１４ａ  第１の外壁部
１４ｂ  第２の外壁部
１５ａ，１５ｂ  側壁部
１６ａ  第１の内側凹部
１６ｂ  第２の内側凹部
１７ａ  第１の外側凹部
１７ｂ  第２の外側凹部
１９ａ  第１の壁面窪み部
１９ｂ  第２の壁面窪み部
２１ａ，２１ｂ  垂直縁内面
２３ａ  傾斜縁内面
２５ａ，２７ａ  ばね規制部
３１ａ，３１ｂ  コモン固定接点
３２ａ，３２ｂ  初期接触固定接点
３３ａ，３３ｂ  切換え固定接点
３５  可動接点
４０ａ  第１の切換え部材
４０ｂ  第２の切換え部材
４１ａ，４１ｂ  先部支持部
４２ａ，４２ｂ  基部支持部
４４ａ，４４ｂ  駆動部
４５ａ，４５ｂ  フランジ部
４６ａ，４６ｂ  突曲面部
４８ａ，４９ａ  回動規制部
５１ａ，５１ｂ  操作部
５５  ばね部材
５６  押圧弾性片
５７  支持弾性片
６０ａ  第１の蓋体
６０ｂ  第２の蓋体
６１  内側挟持片
６１ａ  第１の切欠き部
６１ｂ  第２の切欠き部
６２  外側挟持片
６５  貫通部
【図１】
2014229530.tif 000003
【図２】
2014229530.tif 000004
【図３】
2014229530.tif 000005
【図４】
2014229530.tif 000006
【図５】
2014229530.tif 000007
【図６】
2014229530.tif 000008
【図７】
2014229530.tif 000009
【図８】
2014229530.tif 000010
【図９】
2014229530.tif 000011